(57)【要約】【課題】受信電界強度が低下したときに受信感度を向上させて通話の安定化を図る。【解決手段】受信電界強度検出手段５は、受信部６から出力される受信レベル情報Ｄ１に基づいて受信電界強度を検出する。受信増幅制御手段４のスイッチ制御部４３は、受信電界強度検出値と予め定めた閾値とを比較し、受信電界強度検出値が閾値を下回ったときに、受信信号Ｓ１を前置受信増幅器３へ供給すると同時に前置受信増幅器３へ電源を供給し、受信信号Ｓ１を増幅して受信部６へ入力するように信号スイッチ４１および電源スイッチ４２を制御する。受信電界強度検出値が予め定めた閾値以上であるときは、受信信号Ｓ１が前置受信増幅器３をバイパスして受信部６へ直接入力するように信号スイッチ４１を制御し、同時に前置受信増幅器３への電源供給を停止するように電源スイッチ４２を制御する。【選択図】      図１
2005223583.tif 000002
【特許請求の範囲】
【請求項１】
アンテナにより受信される受信信号を予め定められた増幅度で増幅する前置受信増幅器と、前記アンテナにより受信される受信信号の電界強度を検出する受信電界強度検出手段と、前記前置受信増幅器の動作を制御する受信増幅制御手段とを有することを特徴とする携帯電話機。
【請求項２】
前記前置受信増幅器は、必要に応じて増設できるように着脱可能な構造であることを特徴とする請求項１記載の携帯電話機。
【請求項３】
前記受信増幅制御手段は、前記受信電界強度検出手段により検出される前記受信電界強度に基づき前記前置受信増幅器の動作を制御することを特徴とする請求項１または２記載の携帯電話機。
【請求項４】
前記受信増幅制御手段は、ユーザの指定に基づき前記前置受信増幅器の動作を制御することを特徴とする請求項１、２または３記載の携帯電話機。
【請求項５】
前記受信増幅制御手段は、前記受信信号を前記前置受信増幅器へ供給して増幅させるための接点と前記前置受信増幅器をバイパスさせるるための接点とのいずれか一方を選択する信号スイッチを有していることを特徴とする請求項1、２、３または４記載の携帯電話機。
【請求項６】
前記受信増幅制御手段は、前記前置受信増幅器への電源供給をオン／オフする電源スイッチを有していることを特徴とする請求項1、２、３または４記載の携帯電話機。
【請求項７】
前記受信増幅制御手段は、前記受信電界強度が予め定めた閾値未満のときに前記受信信号を前記前置受信増幅器へ供給して増幅させるように前記信号スイッチを制御すると共に前記前置受信増幅器へ電源を供給して動作させるように前記電源スイッチを制御することを特徴とする請求項５または６記載の携帯電話機。
【請求項８】
前記受信増幅制御手段は、ユーザの指定に基づき前記信号スイッチおよび前記電源スイッチを制御することを特徴とする請求項５または６記載の携帯電話機。
【発明の詳細な説明】
【技術分野】
【０００１】
本発明は携帯電話機に関し、特に受信電界強度が低下するエリアにおいて受信感度を向上できる携帯電話機に関する。
【背景技術】
【０００２】
一般に携帯電話機は、受信電界強度が所定レベル以上であれば通話品質を確保できるように設計されており、通常、基地局のサービスエリア内では通話可能である。
【０００３】
しかし、受信電界強度が所定レベルに達しないサービスエリア圏外や、サービスエリア内であってもビル内や地下街等では通話断やメ-ルの受信ができないことがある。
【０００４】
このため、携帯電話機には受信レベルを検出して表示する機能が設られており、ユーザがその表示を見て受信状態を判断できるようにしている。（例えば、特許文献１参照。）
また、受信電界強度が低下するエリアにおいて通信品質を改善する手段として、例えば、通常は棒状のアンテナを携帯電話機筐体内に収納させておき、受信信号レベルが規定レベル以下に低下したことを検出したとき、モータ駆動機構によって棒状のアンテナを筐体外に自動的に伸長させアンテナ利得を増大させるようにしている。（例えば、特許文献２参照。）
【特許文献１】特開２００２−４４７２９号公報
【特許文献２】特開平１１−１７４１９号公報
【発明の開示】
【発明が解決しようとする課題】
【０００５】
上述した特許文献２では、受信信号レベルが規定レベル以下に低下したことを検出したとき、モータ駆動機構によって棒状のアンテナを筐体外に自動的に伸長させるようにしている。
【０００６】
しかし、アンテナを伸長させるためのモータ駆動機構は機械的な故障の発生する可能性が高いばかりでなく、電池の電力消費が大きいという問題点を有している。
【０００７】
本発明の目的は、アンテナを伸長させる機械的な駆動機構等を使用することなく、受信電界強度が低下するエリアにおいて受信感度を向上させて通話の安定化を図ることができる携帯電話機を提供することにある。
【課題を解決するための手段】
【０００８】
本発明の携帯電話機は、アンテナにより受信される受信信号を予め定められた増幅度で増幅する前置受信増幅器と、前記アンテナにより受信される受信信号の電界強度を検出する受信電界強度検出手段と、前記前置受信増幅器の動作を制御する受信増幅制御手段とを有する。
【０００９】
また、前記前置受信増幅器は、必要に応じて増設できるように着脱可能な構造であってもよい。
【００１０】
また、前記受信増幅制御手段は、前記受信電界強度検出手段により検出される前記受信電界強度に基づき前記前置受信増幅器の動作を制御する。
【００１１】
また、受信増幅制御手段は、ユーザの指定に基づき前記前置受信増幅器の動作を制御する。
【００１２】
また、前記受信増幅制御手段は、前記受信信号を前記前置受信増幅器へ供給して増幅させるための接点と前記前置受信増幅器をバイパスさせるための接点とのいずれか一方を選択する信号スイッチ、および前記前置受信増幅器への電源供給をオン／オフする電源スイッチを有している。
【００１３】
更に、前記受信増幅制御手段は、前記受信電界強度が予め定めた閾値未満のときに前記受信信号を前記前置受信増幅器へ供給して増幅させるように前記信号スイッチを制御すると共に前記前置受信増幅器へ電源を供給して動作させるように前記電源スイッチを制御する。
【００１４】
また更に、前記受信増幅制御手段は、ユーザの指定に基づき前記信号スイッチおよび前記電源スイッチを制御する。
【発明の効果】
【００１５】
本発明によれば、受信電界強度が低下するエリアにおいてアンテナからの受信信号を増幅する前置受信増幅器を動作させることにより、機械的な駆動機構等を使用することなく受信感度を向上させることができるので、機械的な故障発生および電池の消費電力を抑えて通話の安定化を図ることができる。
【発明を実施するための最良の形態】
【００１６】
次に本発明について図面を参照して説明する。
【実施例１】
【００１７】
図１は本発明の一実施例を示すブロック図であり、アンテナ１と、アンテナ共用器２と、アンテナ１により受信される受信信号Ｓ１を予め定められた増幅度で増幅する前置受信増幅器３と、前置受信増幅器３の動作を制御する受信増幅制御手段４と、受信信号Ｓ１の電界強度を検出する受信電界強度検出手段５と、受信信号を受信復調して音声信号をスピーカ７へ出力する受信部６と、マイク８から音声信号を受けて変調し送信信号Ｓ２を出力する送信部９と、各種情報を表示する表示部１０と、ユーザが各種指定を行うためのキー操作部１１とを備えている。
【００１８】
ここで、前置受信増幅器３、受信増幅制御手段４および受信電界強度検出手段５を除く各構成要素は、従来の通常の携帯電話機に使用されているものである。
【００１９】
ところで、従来の通常の携帯電話機では、アンテナ１により受信される受信信号Ｓ１は受信部６に直接入力され、受信部６に入力する受信信号が所定レベル以上であれば通話品質を確保できるように設計されている。そして、受信レベルが所定レベルに達しない場所、例えばサービスエリア圏外やサービスエリア内であってもビル内や地下街等では、通話が不安定となり通話断等が発生する。
【００２０】
しかし、受信レベルが所定レベルよりも低下しても、低下量がある範囲内であれば、この低下分を補うように前置受信増幅器３により受信信号Ｓ１を増幅して受信部６へ入力することにより、通話断等の受信障害を軽減することができる。
【００２１】
なお、受信電界強度が低下した場合はＳ／Ｎ比が悪化するので、前置受信増幅器３は低雑音高周波増幅回路を使用するのが望ましく、前置受信増幅器３の増幅度は前置受信増幅器３および受信部６の性能により最適な値に設定する。
【００２２】
また、受信電界強度が所定レベルよりも低下したときに限定して前置受信増幅器へ電源を供給するように制御すれば、消費電力を節減できる。
【００２３】
受信増幅制御手段４は、受信信号Ｓ１を前置受信増幅器３へ供給して増幅させるための接点および前置受信増幅器３をバイパスさせるための接点のいずれか一方を選択する信号スイッチ４１と、前置受信増幅器３への電源供給をオン／オフする電源スイッチ４２と、信号スイッチ４１および電源スイッチ４２を制御するスイッチ制御部４３とを有している。
【００２４】
受信電界強度検出手段５は、受信部６から出力される受信レベル情報Ｄ１に基づいて受信信号Ｓ１の電界強度を検出すると共に、受信電界強度(受信電波のレベル)を表示部１０に表示させる。
【００２５】
ここで、受信増幅制御手段４は、受信電界強度が予め定めた閾値よりも低下したときに、受信信号Ｓ１を前置受信増幅器３へ供給し、同時に、前置受信増幅器３へ電源を供給して増幅動作させる。受信電界強度が予め定めた閾値以上の通常時は、前置受信増幅器３への電源供給を断とし、同時に、受信信号Ｓ１が前置受信増幅器３をバイパスして受信部６へ直接入力するように制御する。
【００２６】
ところで、受信部６から出力される受信レベル情報Ｄ１は、受信部６に入力する受信信号レベルの検出値であるので、前置受信増幅器３を接続したときは、前置受信増幅器３の増幅度分だけ受信信号レベルが増大し、本来の受信電界強度とは異なる変化をすることになる。
【００２７】
しかし、ここで、前置受信増幅器３の増幅度を予め定めておき、前置受信増幅器３を接続したときには、受信レベル情報Ｄ１の示す値から前置受信増幅器３の増幅分を差し引くことにより、本来の受信電界強度を求めることができる。
【００２８】
受信電界強度検出手段５は、受信増幅制御手段４が前置受信増幅器３を動作させたことを示す情報を受けたときには、前置受信増幅器３の増幅度に応じて受信レベル情報Ｄ１を補正して受信電界強度を求めるようにしている。
【００２９】
受信増幅制御手段４のスイッチ制御部４３は、受信電界強度検出手段５の検出結果に基づいて信号スイッチ４１、電源スイッチ４２を制御する。
【００３０】
すなわち、受信電界強度の検出値と予め定めた閾値とを比較し、受信電界強度の検出値が閾値を下回ったときに、受信信号Ｓ１を前置受信増幅器３へ供給するように信号スイッチ４１を制御し、同時に前置受信増幅器３へ電源を供給して動作させるように電源スイッチ４２を制御する。
【００３１】
また、受信電界強度の検出値が予め定めた閾値以上であるときは、受信信号Ｓ１が前置受信増幅器３をバイパスして受信部６へ直接入力するように信号スイッチ４１を制御し、同時に前置受信増幅器３への電源供給を停止するように電源スイッチ４２を制御する。
【００３２】
なお、ユーザがキー操作部１１を操作して指定することにより、スイッチ制御部４３はユーザの指定に応じて強制的に信号スイッチ４１、電源スイッチ４２を制御して前置受信増幅器３の動作を制御できるようにしてもよい。また、ユーザがキー操作部１０を操作することにより、受信電界強度の閾値や前置受信増幅器の増幅度の設定値を変更できるようにしてもよい。
【００３３】
図２は受信増幅制御手段４の動作を示すフローチャートである。
【００３４】
まず、受信電界強度検出手段５から受信電界強度の検出値を受け（ステップ１０１）、受信電界強度の検出値と受信電界強度の予め定めた閾値とを比較する（ステップ１０２）。
【００３５】
ここで、受信電界強度の検出値が受信電界強度の予め定めた閾値未満であるときは、受信信号Ｓ１を前置受信増幅器３へ供給すると同時に、前置受信増幅器３へ電源を供給して増幅動作させるように信号スイッチ４１および電源スイッチ４２制御し、受信信号Ｓ１を増幅して受信部６へ入力する（ステップ１０３）。
【００３６】
また、ステップ１０２において、受信電界強度の検出値が受信電界強度の予め定めた閾値以上であるときは、前置受信増幅器３への電源供給を停止すると共に受信信号Ｓ１を受信部６へ直接入力するように信号スイッチ４１および電源スイッチ４２を制御する（ステップ１０４）。
【実施例２】
【００３７】
図３は本発明の他の実施例を示すブロック図である。
【００３８】
図1に示した実施例１との相違点は、前置受信増幅器３を、必要に応じて増設できるように着脱可能な構造とした点である。したがって、図1に示した実施例と同じ部分についての説明は省略し、相違点に関する部分について説明する。
【００３９】
この実施例では、携帯電話機の筐体内に予め前置受信増幅器３の収納スペースを設けておいてもよいし、あるいは、携帯電話機の筐体外に前置受信増幅器を設け、所定の接続ケーブルを使用して接続するようにしてもよい。
【００４０】
また、前置受信増幅器３が実装もしくは接続されたことを検知する前置増幅器検知機構４４を設けることにより、前置増幅器検知機構４４が前置受信増幅器３の未実装もしくは未接続を検知しているときは、常に前置受信増幅器３への電源供給を停止すると共に受信信号Ｓ１を受信部６へ直接入力するように信号スイッチ４１および電源スイッチ４２を設定することができる。
【００４１】
このように、前置受信増幅器３を着脱可能な構造とすることにより、増幅度の異なる前置受信増幅器をユーザの用途に応じて選択して使用することが可能になり、多様な要求に対応できる。
【図面の簡単な説明】
【００４２】
【図１】本発明の第１の実施例を示すブロック図である。
【図２】図１に示した受信増幅制御手段４の動作を示すフローチャートである。
【図３】本発明の第２の実施例を示すブロック図である。
【符号の説明】
【００４３】
３    前置受信増幅器
４    受信増幅制御手段
５    受信電界強度検出手段
６    受信部
４１    信号スイッチ
４２    電源スイッチ
４３    スイッチ制御部
４４    前置増幅器検知機構
【図１】
2005223583.tif 000003
【図２】
2005223583.tif 000004
【図３】
2005223583.tif 000005